(57)【要約】【課題】保護者の他に施設等の救援支援者の支援により迷子の防止及び救援をする。【解決手段】本発明の迷子防止システムは、被保護者に携帯させた発信機器１０と保護者及び救援支援者が保有しているアラームを備えた携帯通信端末装置１１，１２とを近距離無線通信手段により互いに無線接続し、保護者が保有している前記携帯通信端末装置１１及び救援支援者が保有している前記携帯通信端末装置１２を携帯電話通信網５０とインターネット通信網６０を介してコンピュータシステムのＷｅｂサーバー７０、捜索要請サーバー７１及びアカウントサーバー７２に接続し、これにより施設内の被保護者の所在を前記発信機器１０から信号を受信して自動的に確認し、被保護者が保護者から所定距離離れ前記発信機器１０から信号を受信できなくなったときに、保護者が保有している前記携帯通信端末装置１１のアラームを自動的に鳴動させるとともに、救援支援者に捜索要請をして被保護者の捜索・救援をすることを特徴とする【選択図】図１
2017045218.tif 000002
【特許請求の範囲】
【請求項１】
被保護者に携帯させた発信機器と保護者及び救援支援者が保有しているアラームを備えた携帯通信端末装置とを近距離無線通信手段により互いに無線接続し、保護者が保有している前記携帯通信端末装置及び救援支援者が保有している前記携帯通信端末装置を携帯電話通信網とインターネット通信網を介してコンピュータシステムのＷｅｂサーバー、捜索要請サーバー及びアカウントサーバーに接続し、これにより施設内の被保護者の所在を前記発信機器から信号を受信して自動的に確認し、被保護者が保護者から所定距離離れ前記発信機器から信号を受信できなくなったときに、保護者が保有している前記携帯通信端末装置のアラームを自動的に鳴動させるとともに、救援支援者に捜索要請をして被保護者の捜索・救援をすることを特徴とする迷子防止システム。
【請求項２】
前記アカウントサーバーには、前記発信機器のＩＤ情報と保護者及び被保護者のプロフィールを登録・保存して、被保護者の捜索・救援を支援することを特徴とする請求項１に記載の迷子防止システム。
【請求項３】
前記捜索要請サーバーには、前記発信機器のＩＤ情報と保護者及び被保護者のプロフィールを登録・保存して、被保護者の捜索・救援を支援するとともに、ＧＰＳ衛星から取得したＧＰＳ衛星位置情報を時系列に沿って累積して登録・保存することを特徴とする請求項１に記載の迷子防止システム。
【請求項４】
被保護者の施設内での移動経路を前記ＧＰＳ衛星位置情報の時系列履歴から住所一覧と照合し探知することを特徴とする請求項３に記載の迷子防止システム。
【発明の詳細な説明】
【技術分野】
【０００１】
本発明は、迷子防止システムに係り、特に、ビーコン等の近距離無線通信可能な発信機器を用いた迷子防止システムに関する。
【背景技術】
【０００２】
ショッピングセンター、スーパーマーケット、遊園地、テーマパーク、病院等の施設内で、児童が迷子になるのを、また、大規模な病院等において、精神薄弱者や痴呆性患者が院内で迷子になるのを防止するために、従来、種々の迷子防止システムが提案されている。
【０００３】
例えば、ショッピングセンターや遊園地等の施設内で起こり得る迷子を防止するために無線タグを利用したシステムが、提案されている。
【０００４】
この種のシステムでは、無線タグ（ＩＣタグ）を被保護者（例えば、児童、老人等）に取り付けるとともに、この無線タグに対してシステムの管理者から質問信号を送信し、この無線タグからの応答信号を受信する携帯型の質問器を備えている。そして、質問器から質問信号を発信し続け、無線タグからの応答信号を受信できなくなると、質問器と無線タグとの間隔が一定の距離以上に広がったと判断して、質問器から警報を発して迷子になるのを防止するようにしたものがある（例えば、特許文献１参照）。
【０００５】
しかしながら、この種の携帯型の質問器を用いたシステムでは、質問器から発信される質問信号の強度を弱めた場合には、たとえ保護対象者が迷子になり難い状況にあっても、保護者(父母、介護者等)と被保護者との間に、例えば、遮蔽物があるような場合、質問信号が無線タグに届かず、警告が発せられるおそれがあるという懸念がある。また、逆に、質問信号の強度を強めた場合には、例えば、階層構造の建屋内で被保護者が保護者に無断で階段を登っていく、あるいは降りていくような状況のような迷子になり易い状況になっても、質問器からの質問信号が無線タグに届いている間は警報が発せられないという恐れがあった。
【０００６】
そこで、このような問題点を解決するため、次のような迷子防止システムが提案されている。
【０００７】
すなわち、この種の迷子防止システムでは、個体識別情報の記憶部及びこの記憶部に記憶された個体識別情報の送信部を備えた無線タグを保護者及び被保護者にそれぞれ装着させる。また、ショッピングセンター等の施設内の各所に、保護者及び被保護者にそれぞれ装着された無線タグから発信される個体識別情報を受信するタグリーダを複数設ける。そして、保護者に装着された無線タグの記憶部に記憶された個体識別情報を保護者識別情報として登録し、また、当該保護者によって保護される保護対象者に装着された無線タグの記憶部に記憶された個体識別情報を対象者識別情報として登録する。これにより、タグリーダで受信している個体識別情報と識別情報登録手段により登録された保護者識別情報及び対象者識別情報とに基づいて、施設内における保護者及び被保護者の居場所を認識し、この保護者と被保護者の居場所により迷子警告を発するか否かを判定する。迷子警告を発すると判定された場合には、例えば保護者が携帯する携帯端末に対して迷子警告を行うようにしたものである（特許文献２参照）。
【先行技術文献】
【特許文献】
【０００８】
【特許文献１】特開２００３−３４６２５４号公報
【特許文献２】特開２００６−３５０４５８号公報
【発明の概要】
【発明が解決しようとする課題】
【０００９】
しかしながら、この種の従来の迷子防止システムでは、ショッピングセンター、スーパーマーケット、遊園地、テーマパーク、病院等の施設の店員、職員、係員等の救援支援者による迷子の捜索、救援等の救援手段が欠落していた。
【課題を解決するための手段】
【００１０】
そこで、このような従来の迷子防止システムの有する問題点を解決するために、本発明の迷子防止システムでは、被保護者に携帯させた発信機器と保護者及び救援支援者が保有しているアラームを備えた携帯通信端末装置とを近距離無線通信手段により互いに無線接続し、保護者が保有している前記携帯通信端末装置及び救援支援者が保有している前記携帯通信端末装置を携帯電話通信網とインターネット通信網を介してコンピュータシステムのＷｅｂサーバー、捜索要請サーバー及びアカウントサーバーに接続し、これにより施設内の被保護者の所在を前記発信機器から信号を受信して自動的に確認し、被保護者が保護者から所定距離離れ前記発信機器から信号を受信できなくなったときに、保護者が保有している前記携帯通信端末装置のアラームを自動的に鳴動させるとともに、救援支援者に捜索要請をして被保護者の捜索・救援をする。
【００１１】
また、本発明の迷子防止システムでは、前記アカウントサーバーには、前記発信機器のＩＤ情報と保護者及び被保護者のプロフィールを登録・保存して、被保護者の捜索・救援を支援するようにする。
【００１２】
さらに、本発明の迷子防止システムでは、前記捜索要請サーバーには、前記発信機器のＩＤ情報と保護者及び被保護者のプロフィールを登録・保存して、被保護者の捜索・救援を支援するとともに、ＧＰＳ衛星から取得したＧＰＳ衛星位置情報を時系列に沿って累積して登録・保存する。
【００１３】
本発明の迷子防止システムでは、被保護者の施設内での移動経路を前記ＧＰＳ衛星位置情報の時系列履歴から住所一覧と照合して探知する。
【発明の効果】
【００１４】
保護者の他に施設等の救援支援者の支援により時宜に適った被保護者の迷子防止及び救援ができるようになる。
【図面の簡単な説明】
【００１５】
【図１】本発明の近距離無線通信可能な発信機器を用いた迷子防止システムの実施例の概略構成を示すブロック図である。
【図２】図１に示した本発明の近距離無線通信可能な発信機器を用いた迷子防止システムの実施例の携帯通信端末装置の起動手順を示すフローチャートである。
【図３】図１に示した本発明の近距離無線通信可能な発信機器を用いた迷子防止システムの実施例の携帯通信端末装置とコンピューターシステムのログイン手順を示すフローチャートである。
【図４】図１に示した本発明の近距離無線通信可能な発信機器を用いた迷子防止システムの実施例の携帯通信端末装置とコンピューターシステムのプロフィール登録手順を示すフローチャートである。
【図５】図１に示した本発明の近距離無線通信可能な発信機器を用いた迷子防止システムの実施例の発信機器、携帯通信端末装置とコンピューターシステムのビーコン登録手順Ｉを示すフローチャートである。
【図６】図１に示した本発明の近距離無線通信可能な発信機器を用いた迷子防止システムの実施例の携帯通信端末装置とコンピューターシステムのビーコン登録手順ＩＩを示すフローチャートである。
【図７】図１に示した本発明の近距離無線通信可能な発信機器を用いた迷子防止システムの実施例の発信機器、携帯通信端末装置とコンピューターシステムの保護者及び救援支援者側での迷子監視の手順を示すフローチャートである。
【図８】図７に示した発信機器、携帯通信端末装置とコンピューターシステムの保護者及び救援支援者側での迷子監視の手順を示すフローチャートに連続する手順を示すフローチャートである。
【図９】図８に示した発信機器、携帯通信端末装置とコンピューターシステムの保護者及び救援支援者側での迷子監視の手順を示すフローチャートに連続する手順を示すフローチャートである。
【図１０】図１に示した本発明の近距離無線通信可能な発信機器を用いた迷子防止システムの実施例の発信機器、携帯通信端末装置とコンピューターシステムの保護者での迷子監視の手順を示すフローチャートである。
【図１１】図１０に示した発信機器、携帯通信端末装置とコンピューターシステムの保護者及び救援支援者側での迷子監視の手順を示すフローチャートに連続する手順を示すフローチャートである。
【図１２】図１１に示した発信機器、携帯通信端末装置とコンピューターシステムの保護者及び救援支援者側での迷子監視の手順を示すフローチャートに連続する手順を示すフローチャートである。
【図１３】図１に示した本発明の近距離無線通信可能な発信機器を用いた迷子防止システムの実施例の発信機器、携帯通信端末装置とコンピューターシステムの救援支援者側での迷子監視の手順を示すフローチャートである。
【図１４】図１３に示した発信機器、携帯通信端末装置とコンピューターシステムの救援支援者側での迷子監視の手順を示すフローチャートに連続する手順を示すフローチャートである。
【図１５】図１４に示した発信機器、携帯通信端末装置とコンピューターシステムの救援支援者側での迷子監視の手順を示すフローチャートに連続する手順を示すフローチャートである。
【図１６】図１に示した本発明の近距離無線通信可能な発信機器を用いた迷子防止システムの実施例の携帯通信端末装置とコンピューターシステムでの迷子の捜索要請状況表示の手順を示すフローチャートである。
【図１７】図１６に示した携帯通信端末装置とコンピューターシステムでの迷子の捜索要請状況表示手順を示すフローチャートに連続する手順を示すフローチャートである。
【図１８】図１に示した本発明の近距離無線通信可能な発信機器を用いた迷子防止システムの実施例の携帯通信端末装置とコンピューターシステムでの迷子の捜索要請登録の手順を示すフローチャートである。
【発明を実施するための形態】
【００１６】
以下、本発明の近距離無線通信可能な発信機器を用いた迷子防止システムの実施例を添付した図面に基いて説明する。
【００１７】
本発明の迷子防止システムの機器・装置構成
図１は、本発明の迷子防止システムの実施例の概略構成のブロック図を示し、
迷子防止システム１は、先ず、被保護者（例えば、児童、高齢者、要介護者等）が携帯している発信機器１０と、保護者（例えば、父母、介護者等）及び救援支援者（例えば、ショッピングセンターの店員）が保有しているアラームを備えた携帯通信端末装置１１、１２とからなり、これらの２個の機器・装置が、例えば、１０数メートル程度の距離で通信可能であり、かつ低消費電力である近距離無線通信技術、Bluetooth(登録商標)の拡張仕様であるＢＬＥ（Bluetooth（登録商標） Low Energyの略）またはWifi（登録商標）、を利用して、互いに無線接続されるようになっている。
【００１８】
ここで、発信機器１０は、ビーコン、例えば、iBeacon（登録商標）のような機器であって、１秒間に複数回の信号を継続して発信でき、かつ、その発信回数を任意に設定できるようになっている。この機能により、例えば、ショッピングセンター等の施設内にいる児童（被保護者）と児童に付き添っている父母（保護者）とが、一方的に受信して、互いに近距離（例えば１０数メートル以内）にいることを機械的に認識できるようになる。
【００１９】
そして、携帯通信端末装置１１は、その使用前に、保護者及び被保護者のプロフィール登録を、後述する手順により、事前登録できるようになっている。      
【００２０】
すなわち、携帯通信端末装置１１でインターネット通信網６０を介して保護者のプロフィール登録を行い、そのＩＤ情報を本発明の迷子防止システムの管理会社のコンピューターシステムのアカウントサーバー７２に登録・保存する。そして、被保護者が携帯している発信機器１０と保護者の携帯通信端末装置１１とを前述したＢＬＥ等を利用して無線接続し、発信機器１０のＩＤ情報とともに被保護者のプロフィールと、携帯通信端末装置１１に備えたカメラで撮像した被保護者の写真情報とをインターネット通信網６０を介してアカウントサーバー７２に登録・保存する。
【００２１】
本発明の迷子防止システムの使用時には、被保護者と保護者の両者が近距離、例えば、１０数メートル以内、にいることをＢＬＥ，Ｗｉｆｉ等の近距離無線通信技術（手段）を利用して常時監視する。
【００２２】
しかし、保護者と被保護者とが、近距離の位置から互いに離れてしまうと、保護者が保有する携帯通信端末装置１１が、被保護者が携帯している発信機器１０からの無線信号を受信できなくなり、被保護者が、例えば、施設内で迷子となる恐れが生じるため、被保護者から自動的に受信できなくなったことに応答して、保護者が保有している携帯通信端末装置１１のアラームが自動的に鳴動するようになる。
【００２３】
このアラームの鳴動により、保護者は、急遽、施設内の自分の回りの近距離にいると思われる被保護者の姿を目視で探すことにより被保護者が迷子となるリスクを未然に回避（防止）できるようになる。
【００２４】
しかし、運悪く保護者が被保護者を施設内の近距離の範囲内で、被保護者を発見できず、緊急に被保護者の捜索を要する時には、保護者が保有している携帯通信端末装置１１で、無線通信基地局４０、携帯電話通信網５０及びインターネット通信網６０を介して、管理会社のコンピューターシステムの捜索要請サーバー７１に、保護者の連絡先電話番号等と被保護者が携帯している発信器１０のＩＤ情報を登録・保存して捜索要請を行うようになっている。
【００２５】
保護者と被保護者以外の第三者であるショッピングセンター、スーパーマーケット、遊園地、テーマパーク、病院等の施設の店員、職員、係員等の救援支援者が保有している携帯通信端末装置１２が、被保護者の携帯する発信機器１０からの信号を受信した場合には、自動的に無線通信基地局４０、携帯電話通信網５０、インターネット通信網６０を介して受信した発信機器１０のＩＤ情報により捜索要請サーバー７１を検索する。
【００２６】
捜索要請サーバー７１を検索した結果、捜索要請が登録されたＩＤ情報と先に受信した発信機器１０のＩＤ情報とが、合致した場合には、捜索要請が登録された保護者の連絡先電話番号等とともに、アカウントサーバー７２に登録・保存されている被保護者の直近に撮影したプロフィール、顔写真等を、インターネット通信網６０を介して救援支援者の携帯通信端末装置１２に自動的に表示する。
【００２７】
また、同時に、救援支援者の携帯通信端末装置１２は、ＧＰＳ衛星３０からＧＰＳ衛星位置情報を取得し、無線通信基地局４０、携帯電話通信網５０、インターネット通信網６０を介して、この取得したＧＰＳ衛星位置情報を捜索要請サーバー７１に時系列に沿って累積して登録・保存する。
【００２８】
これにより、救援支援者は、被保護者の身元が直ぐ判明するので、捜索要請が出ている被保護者の保護者への連絡ができるとともに、被保護者の救援保護等非常時の対応が可能となる。
【００２９】
また、保護者は、被保護者の施設内での移動経路を、前述したＧＰＳ位置情報の時系列的履歴から住所一覧と照合して分かるようになる。
【００３０】
そして、地図照会により保護者がいる現在位置から該当する位置までの最短距離を保護者の携帯通信端末装置１１の画面に自動的に表示する。この最短距離の自動表示により、保護者は、被保護者がいると想定される地点へ最短距離で移動できるため、早期に被保護者の発見・接見が可能となる。
【００３１】
なお、本発明の迷子防止システムは、アプリとして保護者が保有する携帯通信端末装置１１にインストールされて利用者に提供される。
【００３２】
本発明の迷子防止システムの作動・操作手順
次に、図１に示した本発明の迷子防止システムの作動・操作手順を図２から図１８に基いて説明する。
【００３３】
携帯通信端末装置１１の起動手順
まず、保護者が保有する携帯通信端末装置１１の起動手順を図２に基づいて説明する。
保護者が、携帯通信端末装置１１の電源スウィッチをＯＮにし（Step1）、
携帯通信端末装置１１にインストールされている本システム・アプリを起動する（Step2）。これにより、Ｔｏｐ画面が自動表示されるため、画面からログイン及びプロフィール登録の機能を選択する（Step3）。ログイン（Step4、［図３］ログインを参照）及びプロフィール登録をする（Step5、［図４］プロフィール登録を参照）。ログイン済みか判定し、ログイン済みならビーコン登録及び迷子監視の機能の選択が可能となる（Step6）。ビーコン登録をし（Step7、［図５］ビーコン登録を参照）、迷子監視をする（Step8、［図７］迷子監視を参照）。電源Ｏｆｆであれば、この起動手順を終
了する（Step9）。
【００３４】
携帯通信端末装置11とコンピューターシステムのログイン手順
携帯通信端末装置11とコンピューターシステムのログイン手順を、図３に基いて説明する。
【００３５】
まず、携帯通信端末装置１１側では、ログイン画面を表示し（Step1）、ログインのＩＤ(メールアドレス)，パスワードを登録する（Step2）。ログイン情報を通信電文化して携帯電話通信網５０，インターネット通信網６０を介して送信する（Step3）。次いで、送信結果を判定し（Step4）、送信エラー(携帯電話通信網５０に接続されていない等)の場合は、エラー表示し、ログイン画面へ戻る（Step5）。
【００３６】
ここで、前出のStep4で送信がなされた場合には、携帯電話通信網５０、インターネット通信網６０を介して、コンピューターシステムのＷｅｂサーバーがログイン情報を受信し（Step11）、このログイン情報によりアカウントサーバー７２の認証を行う（Step12）。ログイン認証ができない場合、ログインエラーとして終了する（Step13）。ログイン認証ができた場合には、ログイン済としてアカウントサーバー７２に記録する（Step14）。        
【００３７】
さらに、携帯通信端末装置１１側では、コンピューターシステムでのログイン結果を判定し、ログインができた場合、Ｔｏｐ画面へ戻る（Step6）。ログインができない場合、ログイン不能のエラー画面を表示し、ログイン画面へ戻る（Step7）。
【００３８】
携帯通信端末装置11とコンピューターシステムのプロフィール登録手順
携帯通信端末装置11とコンピューターシステムのプロフィール登録手順を図４に基いて説明する。
【００３９】
まず、携帯通信端末装置１１側では、プロフィール登録画面を表示し（Step1）、保護者プロフィール情報として、メールアドレス，パスワード、ネットネーム，連絡先電話番号を登録する（Step2）。プロフィール情報を通信電文化して携帯電話通信網５０，インターネット通信網６０を介して送信し（Step3）。送信結果を判定する（Step4）。送信エラー(携帯通信端末装置１１が携帯電話通信網５０に接続されていない等)の場合は、エラー表示し、プロフィール登録画面へ戻る（Step5）。
【００４０】
また、コンピューターシステム側では、コンピューターシステムのＷｅｂサーバー７０が前出プロフィール情報を、携帯電話通信網５０，インターネット通信網６０を介して受信する（Step11）。プロフィール内のメールアドレスが既に登録されているか否か検索し（Step12）、メールアドレスが既に存在していない場合、登録エラーとして終了する（Step13）。メールアドレスが存在している場合には、プロフィール情報をメールアドレスをＫｅｙとしてアカウントサーバー７２のＤＢへ登録する（Step14）。
【００４１】
さらに、携帯通信端末装置11側では、コンピューターシステムでの登録結果を判定し、プロフィール登録ができた場合、Ｔｏｐ画面へ戻る（Step6）。プロフィール登録ができなかった場合は、登録不能(メールアドレスが存在)のエラー画面を表示し、プロフィール登録画面へ戻る（Step7）。
【００４２】
発信機器１０、携帯通信端末装置１１及びコンピューターシステムのビーコン登録Ｉの手順
発信機器１０、携帯通信端末装置１１及びコンピューターシステムのビーコン登録Ｉの手順を図５に基いて説明する。
【００４３】
まず、発信機器１０側では、発信機器装置１０の電源スィッチをＯＮにすると（Step1）、ビーコン回路が起動し（Step2）、ビーコン信号を発信する（Step3）。発信機器装置１０の電源がＯｆｆであれば、終了する（Step4）。
【００４４】
また、携帯通信端末装置11側では、ビーコン検知画面を表示する（Step10）。戻るボタンを押下した場合、Ｔｏｐ画面へ戻る（Step11）。表示されているビーコンを押下した場合、該当ビーコンの登録へ遷移する（Step12）。ビーコン登録をする（Step13、［図６］ビーコン登録ＩＩを参照）。Ｂｌｕｅｔｏｏｔｈ(登録商標),ＢＬＥ，Ｗｉｆｉ等の近距離無線通信にて、ビーコン検知をし、ビーコンを検知できない場合は繰り返して検知を行う（Step14）。受信したビーコンのＩＤ」情報を携帯電話通信網，インターネット通信網を介して送信する（Step15）。送信結果を判定する（Step16）。送信エラー(携帯電話通信網５０に接続されていない等)の場合は、エラー表示し、ビーコン検知画面へ戻る（Step17）。
【００４５】
コンピューターシステム側では、コンピューターシステムのWebサーバー７０がビーコンのＩＤ情報を受信する（Step21）。ビーコンＩＤでログイン・アカウントのビーコン情報を検索する（Step22）。ビーコンＩＤが未登録の場合、不明ビーコンとして終了する（Step23）し、登録済の場合には、登録済のビーコン情報をログイン・アカウントより取得し、返信電文にセットする（Step24）。
【００４６】
さらに、携帯通信端末装置１１側では、未登録か、または登録済ビーコンかの判定を行う（Step18）。未登録の場合には、不明ビーコンとして、不明マークと合わせてビーコン検知画面に表示する（Step19）。登録済の場合には、登録済ビーコンとして、ビーコン情報をビーコン検知画面に表示する（Step20）。
【００４７】
携帯通信端末装置１１及びコンピューターシステムでのビーコン登録ＩＩの手順
携帯通信端末装置１１及びコンピューターシステムでのビーコン登録ＩＩの手順を図６に基いて説明する。
【００４８】
まず、携帯通信端末装置１１側では、ビーコン登録画面を表示する（Step1）。登録済ビーコンの場合、削除ボタンを押下されたか判定する（Step2）。ビーコン情報として被保護者の氏名，住所，特徴等のコメントを登録する（Step３）。ビーコン削除の情報をビーコン情報電文にセットする（Step4）。カメラボタンを押下されたか判定する（Step5）。携帯端末のカメラ機能を起動し（Step6）、携帯端末のカメラで被保護者を撮像する（Step7）。ビーコン情報（被保護者の氏名，住所，特徴等のコメント，撮像された画像データ）を携帯電話通信網５０，インターネット通信網６０を介して送信し（Step8）、送信結果を判定する（Step9）。送信エラー(携帯電話通信網５０に接続されていない等)の場合は、エラー表示し、ビーコン登録画面へ戻る（Step10）。
【００４９】
また、コンピューターシステム側では、ビーコン情報が携帯通信端末装置11から送信された場合には、コンピューターシステムのWebサーバー７０がビーコン情報を受信する（Step11）。ビーコン削除の指示か否か判定する（Step12）。否の判定の場合には、ビーコン情報をログイン・アカウントの情報として登録する（Step13）。削除の指示の場合には、ビーコン情報をログイン・アカウントの情報から削除する（Step14））。
【００５０】
さらに、携帯通信端末装置11側では、コンピューターシステムでの登録・削除結果を判定する。ビーコン登録・削除ができた場合、ビーコン検知画面へ戻る（Step15）。ビーコン登録・削除ができない場合には、登録・削除のエラー画面を表示しビーコン登録画面へ戻る（Step16）。
【００５１】
発信機器、携帯通信端末装置とコンピューターシステムの保護者及び救援支援者側での迷子監視の手順
発信機器、携帯通信端末装置とコンピューターシステムの保護者及び救援支援者側での迷子監視の手順を図７に基いて説明する。
【００５２】
まず、携帯通信端末装置１１側では、ログイン・アカウント情報を携帯電話通信網，インターネット通信網を介して送信する（Step10）。送信結果を判定し（Step11）、送信エラー(携帯電話通信網に接続されていない等)の場合はエラー表示し、Ｔｏｐ画面へ戻る（Step12）。
【００５３】
また、コンピューターシステム側では、コンピューターシステムのWebサーバーがログイン・アカウント情報を受信する（Step40）。ログイン・アカウントの登録済ビーコン情報をアカウントサーバー７２から取得し、返信電文にセットする（Step41）。
【００５４】
また、携帯通信端末装置１１側では、ログイン・アカウントの登録済ビーコン情報の有無を判定し、ビーコン情報がある場合、一覧画面用にデータ加工する（（Step13）。登録済ビーコンの一覧を表示する（Step14）。迷子監視するビーコンを選択し、迷子多監視対象として追加する（Step15）。迷子監視のスタートボタンが押下されたか判定する（Step16）。
【００５５】
さらに、発信機器、携帯通信端末装置とコンピューターシステムの保護者及び救援支援者側での迷子監視の図７に続く手順では、図８に示すように、発信機器１０側では、発信機器10の電源スウィッチをONにすると（Step1）、ビーコン回路が起動し（Step2）、ビーコン信号を発信する（Step3）。電源Ｏｆｆであれば終了する（Step4）。
【００５６】
また、携帯通信端末装置１１側では、近距離無線通信にて、ビーコンを検知したか判定する（Step17）。ビーコン検知をした場合、ビーコン検知画面を表示する（Step18）。検知したビーコンがStep15で選択したビーコンか否かを判定する（Step19）。Step15で選択したビーコン以外の場合は、捜索要請されているビーコンの確認が必要である。ビーコンＩＤ情報を携帯電話通信網，インターネット通信網を介して送信し（Step20）、送信結果を判定する（Step21）。送信エラー(携帯電話通信網に接続されていない等)の場合は、エラー表示し、ビーコン検知へ戻る（Step22）。
【００５７】
さらに、携帯通信端末装置１１側では、対象ビーコンに対して、状況表示を押下したか否かを判定する（Step35）。状況表示を押下されたビーコンが捜索要請登録済か判定し（Step36）を捜索要請をする（Step37、［図１８］捜索要請 状況表示を参照）。
【００５８】
コンピューターシステム側では、コンピューターシステムのＷｅｂサーバーがビーコンＩＤ情報を受信する（Step42）。受信したビーコンID情報で捜索要請サーバーを検索する（Step43）。検索できた場合、捜索要請情報を取得し、返信電文にセットする。
【００５９】
さらに、携帯通信端末装置11側では、選択されたビーコン検知ができない場合、未検知状態が５秒以上経過したか否かを判定する（Step23）。ここで、被保護者が保護者から１０数メートル以上離れて一定時間が経過したため、迷子となるリスクが高いため、携帯端末のアラーム鳴動，バイブレーション振動させ（Step24）。被保護者が見つからないため、捜索要請する場合は、捜索要請ボタンを押下するため、その押下判定を行う（Step25）。捜索要請登録をする（Step26、［図１８］捜索要請登録を参照）。
【００６０】
またさらに、発信機器、携帯通信端末装置とコンピューターシステムの保護者及び救援支援者側での迷子監視の図８に続く手順では、図９に示すように、まず、携帯通信端末装置１１では、捜索要請されているビーコンであったか否かを判定する（Step27）。捜索要請されているビーコンであった場合、急遽、保護を要するため捜索要請情報を画面に表示(捜索要請ビーコン検知画面)するとともに、携帯端末のアラーム鳴動，バイブレーション振動させる（Step28）。ビーコン検知した被保護者の位置情報を携帯電話通信網，インターネット通信網を介して送信する（Step29）し、送信結果を判定する（Step30）。送信エラー(携帯電話通信網に接続されていない等)の場合は、エラー表示をし、捜索要請ビーコン検知画面へ戻る（Step31）。捜索要請ビーコン検知画面に表示されている保護者の連絡先電話番号を押下したか否かを判定し（Step32）、携帯端末電話機能を利用して保護者へ電話する（Step33）。 
【００６１】
次いで、コンピューターシステム側では、コンピューターシステムのＷｅｂサーバーがＧＰＳ位置情報を受信する（Step44）。受信した捜索要請ビーコンＩＤ情報で捜索要請サーバーにＧＰＳ位置情報に追加登録する（Step45）。保護者の携帯端末へ被保護者ビーコン検知の通知メールを送信する（Step46）。
【００６２】
発信機器、携帯通信端末装置とコンピューターシステムの保護者側での迷子監視の手順
発信機器、携帯通信端末装置とコンピューターシステムの保護者側での迷子監視の手順を図１０に基いて説明する。
【００６３】
まず、保護者の携帯通信端末装置１１側では、ログイン・アカウント情報を携帯電話通信網，インターネット通信網を介して送信し（Step10）。送信結果を判定する（Step11）。送信エラー(携帯電話通信網に接続されていない等)の場合はエラー表示をし、Ｔｏｐ画面へ戻る（Step12）。 
【００６４】
また、コンピューターシステム側では、コンピューターシステムのＷｅｂサーバーがログイン・アカウント情報を受信する（Step40）。ログイン・アカウントの登録済ビーコン情報をアカウントサーバー７２より取得し、返信電文にセットする（Step41）。
【００６５】
さらに、携帯通信端末装置11側では、ログイン・アカウントの登録済ビーコン情報の有無を判定する。ビーコン情報がある場合、一覧画面用にデータ加工し（Step13）。登録済ビーコンの一覧を表示する（Step14）。迷子監視するビーコンを選択し、迷子監視対象として追加する（Step1５）。迷子監視のスタートボタンが押下されたか否かを判定する（Step16）。
【００６６】
発信機器、携帯通信端末装置とコンピューターシステムの保護者側での迷子監視の図１０に続く手順では、図１１に示すように、まず、発振器１０側では、発信機器装置１０の電源スウィッチをＯＮにすると（Step1）、ビーコン回路が起動し（Step2）、ビーコン信号を発信する（Step3）。電源Ｏｆｆであれば終了する（Step4）。
【００６７】
また、携帯通信端末装置１１では、近距離無線通信にて、ビーコンを検知したか判定する（Step17）。ビーコン検知をした場合、ビーコン検知画面を表示する（Step18）。検知したビーコンがStep15で選択したビーコンか判定する（Step19）。Step15で選択したビーコン以外の場合は、捜索要請されているビーコンの確認が必要であるので、ビーコンＩＤ情報を携帯電話通信網５０，インターネット通信網６０を介して送信し（Step20）、送信結果を判定する（Step2１）。送信エラー(携帯電話通信網に接続されていない等)の場合は、エラー表示をし、ビーコン検知へ戻る（Step22）。
【００６８】
さらに、携帯通信端末装置１１側では、対象ビーコンに対して、状況表示を押下したか判定する（Step35）。状況表示を押下されたビーコンが捜索要請登録済か否かを判定し（Step36）、捜索要請状況表示をする（Step37、［図１８］捜索要請 状況表示を参照）。
【００６９】
コンピューターシステム側では、コンピューターシステムのＷｅｂサーバーがビーコンＩＤ情報を受信し（Step42）、受信したビーコンＩＤ情報で捜索要請サーバーを検索する。検索できた場合、捜索要請情報を取得し返信電文にセットする（Step43）。
【００７０】
携帯通信端末装置１１側では、選択されたビーコン検知ができない場合、未検知状態が５秒以上経過したか否かを判定する（Step23）。未検知状態が５秒以上経過した場合には、被保護者が１０数メートル以上離れて一定時間が経過し、迷子となるリスクが高いため、携帯通信端末装置１１のアラーム鳴動，バイブレーション振動をさせる（Step24）。        
【００７１】
被保護者が見つからないため、捜索要請する場合は、捜索要請ボタンを押下するための押下判定を行う（Step25）。捜索要請登録を行う（Step26、［図１８］捜索要請登録を参照）。
【００７２】
発信機器、携帯通信端末装置とコンピューターシステムの保護者側での迷子監視の図１１に続く手順では、図１２に示すように、携帯通信端末装置11側では、捜索要請されているビーコンであったか否かを判定する（Step27）。捜索要請されているビーコンであった場合、急遽、被保護者の保護を要するため捜索要請情報を画面に表示(捜索要請ビーコン検知画面)するとともに、携帯通信端末装置１１のアラーム鳴動，バイブレーション振動をさせる（Step28）。ビーコン検知した被保護者の位置情報を携帯電話通信網５０，インターネット通信網６０を介して送信し（Step29）、送信結果を判定する（Step30）。送信エラー(携帯電話通信網に接続されていない等)の場合は、エラー表示をし、捜索要請ビーコン検知画面へ戻る（Step31）。捜索要請ビーコン検知画面に表示されている保護者の連絡先電話番号を押下したか否かを判定する（Step32）。携帯端末電話機能を利用して保護者へ電話する（Step33）。
【００７３】
また、コンピューターシステム側では、コンピューターシステムのＷｅｂサーバーがＧＰＳ位置情報を受信する（Step44）。受信した捜索要請ビーコンＩＤ情報で捜索要請サーバーにＧＰＳ位置情報追加登録する（Step45）。保護者携帯端末へ被保護者ビーコン検知の通知メールを送信する（Step46）。
【００７４】
発信機器、携帯通信端末装置とコンピューターシステムの救助支援者側での迷子監視の手順
発信機器、携帯通信端末装置とコンピューターシステムの救助支援者側での迷子監視の手順を図１３に基いて説明する。
【００７５】
まず、携帯通信端末装置１１側では、ログイン・アカウント情報を携帯電話通信網，インターネット通信網を介して送信する（Step10）。送信結果を判定する（Step11）。送信エラー(携帯電話通信網に接続されていない等)の場合は、エラー表示し、Ｔｏｐ画面へ戻る（Step12）。
【００７６】
次に、コンピューターシステム側では、コンピューターシステムのＷｅｂサーバーがログイン・アカウント情報を受信する（Step40）。ログイン・アカウントの登録済ビーコン情報をアカウントサーバー７２から取得し、返信電文にセットする（Step41）。
【００７７】
次いで、携帯通信端末装置11側では、ログイン・アカウントの登録済ビーコン情報の有無を判定する。ビーコン情報がある場合、一覧画面用にデータ加工し（Step13）、登録済ビーコンの一覧を表示する（Step14）。迷子監視するビーコンを選択し、迷子多監視対象として追加する（Step15）。迷子監視のスタートボタンが押下されたか否かを判定する（Step16）。
【００７８】
発信機器、携帯通信端末装置とコンピューターシステムの救助支援者側での迷子監視の図１３に手順に続く手順では、図１４に示すように、まず、発信機器１０側では、発信機器１０の電源スイッチをＯＮにする（Step1）。ビーコン回路が起動し（Step2）、ビーコン信号を発信する。Step4電源Offであれば終了する（Step3）。
【００７９】
また、携帯通信端末装置11側では、近距離無線通信にて、ビーコンを検知したか判定する（Step17）。ビーコン検知をした場合、ビーコン検知画面を表示する（Step18）。          
【００８０】
検知したビーコンがStep15で選択したビーコンかいなかを判定する（Step19）。Step15で選択したビーコン以外の場合は、捜索要請されている
ビーコンの確認が必要である。ビーコンＩＤ情報を携帯電話通信網５０，インターネット通信網６０を介して送信し（Step20）、送信結果を判定する（Step21）。送信エラー(携帯電話通信網に接続されていない等)の場合は、エラー表示をし、ビーコン検知へ戻る（Step22）。
【００８１】
さらに、携帯通信端末装置11側では、対象ビーコンに対して、状況表示を押下したか否かを判定する（Step35）。状況表示を押下されたビーコンは捜索要請登録済か判定し（Step36）、捜索要請状況表示をする（Step37、［図１８］捜索要請状況表示を参照）。
【００８２】
コンピューターシステム側では、コンピューターシステムのＷｅｂサーバーがビーコンＩＤ情報を受信する（Step42）。受信したビーコンＩＤ情報で捜索要請サーバーを検索する。検索できた場合、捜索要請情報を取得し返信電文にセットする（Step43）。
【００８３】
携帯通信端末装置１１側では、選択されたビーコン検知ができない場合、未検知状態が5秒以上経過したか否かを判定する（Step23）。未検知状態が５秒以上経過した場合は、被保護者が１０数メートル以上離れて一定時間が経過し、迷子となるリスクが高いため、携帯通信端末装置１１のアラーム鳴動，バイブレーション振動をさせる（Step24）。被保護者が見つからないため、捜索要請する場合は捜索要請ボタンを押下するための判定を行う（Step25）。捜索要請登録をする（Step26、［図１８］捜索要請登録を参照）。
【００８４】
発信機器、携帯通信端末装置とコンピューターシステムの救助支援者側での迷子監視の図１４に手順に続く手順では、図１５に示すように、携帯通信端末装置１１側では、捜索要請されているビーコンであったか否かを判定する（Step27）。捜索要請されているビーコンであった場合、急遽、被保護者の保護を要するために捜索要請情報を画面に表示(捜索要請ビーコン検知画面)するとともに、携帯通信端末装置11のアラーム鳴動，バイブレーション振動をさせる（Step28）。ビーコン検知した位置情報を携帯電話通信網５０，インターネット通信網６０を介して送信し（Step29）。送信結果を判定する（Step30）。      
【００８５】
送信エラー(携帯電話通信網に接続されていない等)の場合は、エラー表示をし、捜索要請ビーコン検知画面へ戻る（Step31）。捜索要請ビーコン検知画面に表示されている保護者の連絡先電話番号を押下したか否かを判定する（Step32）。携帯端末電話機能を利用して保護者へ電話する（Step33）。
【００８６】
また、コンピューターシステム側では、Step44コンピューターシステムのＷｅｂサーバーがＧＰＳ位置情報を受信する（Step44）。受信した捜索要請ビーコンＩＤ情報で捜索要請サーバーにＧＰＳ位置情報を追加登録する（Step45）。保護者の携帯通信端末装置１１へ被保護者のビーコン検知の通知メールを送信する（Step46）。捜索要請状況表示手順
携帯通信端末装置とコンピューターシステムの捜索要請状況表示手順について図１６及び図１７に基いて説明する。
【００８７】
まず、図１６に示すように、携帯通信端末装置１１側では、ビーコンＩＤ情報を通信電文化して携帯電話通信網５０，インターネット通信網６０を介して送信し（Step1）、送信結果を判定する（Step2）。送信エラー(携帯電話通信網５０に接続されていない等)の場合は、エラー表示をして終了する（Step3）。
【００８８】
また、コンピューターシステム側では、コンピューターシステムのＷｅｂサーバーがビーコンＩＤ情報を受信し（Step21）、ビーコンＩＤで捜索要請サーバーを検索する（Step22）。ＧＰＳ位置情報の累積データを取得し、住所文言として返信電文として送信する（Step23）。
【００８９】
さらに、図１７に示すように、図１６に示した手順に続いて、携帯通信端末装置１１側では、捜索要請状況表示画面に時系列で住所一覧を表示する（Step4）。終了ボタンを押下したか否かを判定する（Step5）。住所のいずれかを選択したか否かを判定する（Step6）。住所情報を通信電文化して携帯電話通信網５０，インターネット通信網６０を介して送信し（Step7）、送信結果を判定する（Step8）。送信エラー(携帯電話通信網に接続されていない等)の場合は、エラー表示をし、捜索要請状況表示画面へ戻る（Step9）。    
【００９０】
また、コンピューターシステム側では、コンピューターシステムのＷｅｂサーバー７０が住所情報を受信する（Step24）。住所情報にて、Ｇｏｏｇｌｅ Ｍａｐｓ機能を利用して地図イメージデータを生成する（Step25）。地図イメージデータへ現在地からのルートを生成する（Step26）。       
【００９１】
さらに、携帯通信端末装置11側では、コンピューターシステムから返信された地図イメージを画面に表示する（Step10）。終了ボタンを押下したか判定する（Step11）。
【００９２】
捜索要請登録の手順
捜索要請登録の手順を図１８に示す。
【００９３】
まず、携帯通信端末装置１１側では、捜索要請登録画面を表示する。保護者連絡先電話番号，住所，顔写真，特徴等のコメントを事前に表示する（Step1）
捜索要請登録画面に表示されている保護者の連絡先電話番号，住所，特徴等のコメント情報を変更する（Step2）。捜索要請情報を通信電文化して携帯電話通信網５０，インターネット通信網６０を介して送信する（Step3）。送信結果を判定する（Step4）。送信エラー(携帯電話通信網５０に接続されていない等)の場合はエラー表示し、捜索要請登録画面へ戻る（Step5）。       
【００９４】
また、コンピューターシステム側では、コンピューターシステムのＷｅｂサーバー７０が捜索要請情報を受信する（Step11）。捜索要請情報をログイン・アカウント情報を付加して、捜索要請サーバー７１に登録する（Step12）。       
【００９５】
さらに、携帯通信端末装置１１側では、コンピューターシステムでの登録結果を判定し、捜索要請登録ができた場合は終了し（Step6）、捜索要請登録ができない場合は登録不能のエラー画面を表示し、捜索要請登録画面へ戻る（Step7）。
【符号の説明】
【００９６】
１      迷子防止システム
１０    発信機器（被保護者用）
１１    携帯通信端末装置（保護者用）
１２    携帯通信端末装置（救援支援者用）
３０    ＧＰＳ衛星
４０    無線通信基地局
５０    携帯電話通信網
６０    インターネット通信網
７０    Ｗｅｂサーバー
７１    捜索要請サーバー
７２    アカウントサーバー
【図１】
2017045218.tif 000003
【図２】
2017045218.tif 000004
【図３】
2017045218.tif 000005
【図４】
2017045218.tif 000006
【図５】
2017045218.tif 000007
【図６】
2017045218.tif 000008
【図７】
2017045218.tif 000009
【図８】
2017045218.tif 000010
【図９】
2017045218.tif 000011
【図１０】
2017045218.tif 000012
【図１１】
2017045218.tif 000013
【図１２】
2017045218.tif 000014
【図１３】
2017045218.tif 000015
【図１４】
2017045218.tif 000016
【図１５】
2017045218.tif 000017
【図１６】
2017045218.tif 000018
【図１７】
2017045218.tif 000019
【図１８】
2017045218.tif 000020
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
被保護者に携帯させた発信機器と保護者が保有しているアラームを備えた携帯通信端末装置とを近距離無線通信手段により互いに無線接続し、これにより被保護者が保護者の近傍にいることを確認し、被保護者が保護者から所定距離離れて前記被保護者が携帯している前記発信機器から信号を受信できなくなったときに、保護者が保有している前記携帯通信端末装置のアラームを自動的に鳴動させ、
このアラーム鳴動により保護者が被保護者を捜索しても、見つからない場合には、保護者が保有している前記携帯通信端末装置を携帯電話通信網とインターネット通信網を介してコンピュータシステムのWebサーバー、捜索要請サーバー及びアカウントサーバーに接続して、捜索要請登録を行うことにより被保護者が携帯している前記発信機器の信号情報を救援支援者へ公開し、
さらに、救援支援者がアラームを備えた携帯通信端末装置を保有し、救援支援者が保有する前記携帯通信端末装置が被保護者に携帯させた前記発信機器の信号を受信した場合、救援支援者が保有している前記携帯通信端末装置を前記携帯電話通信網と前記インターネット通信網を介して前記コンピュータシステムの前記Webサーバー、前記捜索要請サーバー及び前記アカウントサーバーに接続し、捜索要請された被保護者の前記発信機器からの信号であるか否かを確認するとともに、前記捜索要請サーバーに登録されている被保護者の身元情報を救援支援者が保有している前記携帯通信端末装置で照会するとともに、救援支援者が保有している前記携帯通信端末装置のGPS位置情報を自動的に前記捜索要請サーバーに通知し、
保護者が捜索要請すると、保護者が保有している前記携帯通信端末装置を前記携帯電話通信網と前記インターネット通信網を介して前記コンピュータシステムの前記Webサーバー、前記捜索要請サーバー及び前記アカウントサーバーに接続し、救援支援者から自動的に通知されるGPS位置情報を所定の時系列で保護者が保有している前記携帯通信端末装置にて照会し、
被保護者が見つかった場合には、保護者が保有している前記携帯通信端末装置を前記携帯電話通信網と前記インターネット通信網を介して前記コンピュータシステムの前記Webサーバー、前記捜索要請サーバー及び前記アカウントサーバーに接続し、捜索要請登録の解除を行うことにより、被保護者が携帯している前記発信機器の信号情報が非公開となること、を特徴とする迷子防止システム。
【手続補正２】
【補正対象書類名】図面
【補正対象項目名】図８
【補正方法】変更
【補正の内容】
【図８】
2017045218.tif 000021
【手続補正３】
【補正対象書類名】図面
【補正対象項目名】図９
【補正方法】変更
【補正の内容】
【図９】
2017045218.tif 000022
【手続補正４】
【補正対象書類名】図面
【補正対象項目名】図１３
【補正方法】変更
【補正の内容】
【図１３】
2017045218.tif 000023
【手続補正５】
【補正対象書類名】図面
【補正対象項目名】図１４
【補正方法】変更
【補正の内容】
【図１４】
2017045218.tif 000024
【手続補正６】
【補正対象書類名】図面
【補正対象項目名】図１５
【補正方法】変更
【補正の内容】
【図１５】
2017045218.tif 000025
【手続補正７】
【補正対象書類名】明細書
【補正対象項目名】００５６
【補正方法】変更
【補正の内容】
【００５６】
また、携帯通信端末装置１１、１２側では、近距離無線通信にて、ビーコンを検知したか判定する（Step17）。ビーコン検知をした場合、ビーコン検知画面を表示する（Step18）。検知したビーコンがStep15で選択したビーコンか否かを判定する（Step19）。Step15で選択したビーコン以外の場合は、捜索要請されているビーコンの確認が必要である。ビーコンＩＤ情報を携帯電話通信網，インターネット通信網を介して送信し（Step20）、送信結果を判定する（Step21）。送信エラー(携帯電話通信網に接続されていない等)の場合は、エラー表示し、ビーコン検知へ戻る（Step22）。
【手続補正８】
【補正対象書類名】明細書
【補正対象項目名】００５７
【補正方法】変更
【補正の内容】
【００５７】
さらに、携帯通信端末装置１１、１２側では、対象ビーコンに対して、状況表示を押下したか否かを判定する（Step35）。状況表示を押下されたビーコンが捜索要請登録済か判定し（Step36）を捜索要請をする（Step37、
【図１８】捜索要請 状況表示を参照）。
【手続補正９】
【補正対象書類名】明細書
【補正対象項目名】００５９
【補正方法】変更
【補正の内容】
【００５９】
さらに、携帯通信端末装置１１、１２側では、選択されたビーコン検知ができない場合、未検知状態が５秒以上経過したか否かを判定する（Step23）。ここで、被保護者が保護者から１０数メートル以上離れて一定時間が経過したため、迷子となるリスクが高いため、携帯端末のアラーム鳴動，バイブレーション振動させ（Step24）。被保護者が見つからないため、捜索要請する場合は、捜索要請ボタンを押下するため、その押下判定を行う（Step25）。捜索要請登録をする（Step26、
【図１８】捜索要請登録を参照）。
【手続補正１０】
【補正対象書類名】明細書
【補正対象項目名】００７５
【補正方法】変更
【補正の内容】
【００７５】
まず、携帯通信端末装置１２側では、ログイン・アカウント情報を携帯電話通信網，インターネット通信網を介して送信する（Step10）。送信結果を判定する（Step11）。送信エラー(携帯電話通信網に接続されていない等)の場合は、エラー表示し、Ｔｏｐ画面へ戻る（Step12）。
【手続補正１１】
【補正対象書類名】明細書
【補正対象項目名】００７７
【補正方法】変更
【補正の内容】
【００７７】
次いで、携帯通信端末装置１２側では、ログイン・アカウントの登録済ビーコン情報の有無を判定する。ビーコン情報がある場合、一覧画面用にデータ加工し（Step13）、登録済ビーコンの一覧を表示する（Step14）。迷子監視するビーコンを選択し、迷子多監視対象として追加する（Step15）。迷子監視のスタートボタンが押下されたか否かを判定する（Step16）。
【手続補正１２】
【補正対象書類名】明細書
【補正対象項目名】００７９
【補正方法】変更
【補正の内容】
【００７９】
また、携帯通信端末装置１２側では、近距離無線通信にて、ビーコンを検知したか判定する（Step17）。
【手続補正１３】
【補正対象書類名】明細書
【補正対象項目名】００８１
【補正方法】変更
【補正の内容】
【００８１】
さらに、携帯通信端末装置１２側では、対象ビーコンに対して、状況表示を押下したか否かを判定する（Step35）。状況表示を押下されたビーコンが捜索要請登録済か判定し（Step36）、捜索要請状況表示をする（Step37、
【図１８】捜索要請 状況表示を参照）。
【手続補正１４】
【補正対象書類名】明細書
【補正対象項目名】００８３
【補正方法】変更
【補正の内容】
【００８３】
携帯通信端末装置１２側では、選択されたビーコン検知ができない場合、未検知状態が５秒以上経過したか否かを判定する（Step23）。ここで、被保護者が保護者から１０数メートル以上離れて一定時間が経過したため、迷子となるリスクが高いため、携帯端末のアラーム鳴動，バイブレーション振動させ（Step24）。被保護者が見つからないため、捜索要請する場合は、捜索要請ボタンを押下するため、その押下判定を行う（Step25）。捜索要請登録をする（Step26、
【図１８】捜索要請登録を参照）。
【手続補正１５】
【補正対象書類名】明細書
【補正対象項目名】００８４
【補正方法】変更
【補正の内容】
【００８４】
発信機器、携帯通信端末装置とコンピューターシステムの救助支援者側での迷子監視の図１４に手順に続く手順では、図１５に示すように、携帯通信端末装置１２側では、捜索要請されているビーコンであったか否かを判定する（Step27）。捜索要請されているビーコンであった場合、急遽、被保護者の保護を要するために捜索要請情報を画面に表示(捜索要請ビーコン検知画面)するとともに、携帯通信端末装置11のアラーム鳴動，バイブレーション振動をさせる（Step28）。ビーコン検知した位置情報を携帯電話通信網５０，インターネット通信網６０を介して送信し（Step29）。送信結果を判定する（Step30）。